(57)【特許請求の範囲】
【請求項１】
ビデオコンテンツを記録したビデオディスクを再生するビデオ再生装置であって、
前記ビデオディスクに記録された、キー操作の種別に対して当該種別のキー操作発生時に当該ビデオ再生装置が行うべき動作を定義する定義情報に従って、発生したキー操作の種別に対して前記定義情報が定義する動作を当該ビデオ再生装置に行わせる動作制御部と、
当該ビデオ再生装置によって再生された画面画像の表示出力を抑止しつつ、各キー操作の種別について、前記動作制御部に、当該キー操作の種別に対して前記定義情報が定義する動作を当該ビデオ再生装置に行わせると共に、当該動作の結果、当該ビデオ再生装置によって再生された画面画像を、当該ユーザ操作に対応付けて登録するキー操作結果画面登録処理を行うキー操作結果画面登録部と、
各キー操作に対応して登録されている画面画像を、当該キー操作の識別と共に表したガイド画面を表示するガイド画面表示処理を行うガイド画面表示部とを有することを特徴とするビデオ再生装置。
【請求項２】
請求項１記載のビデオ再生装置であって、
前記キー操作結果画面登録部は、ビデオディスクの再生開始の際に、前記キー操作結果画面登録処理を行うことを特徴とするビデオ再生装置。
【請求項３】
請求項１記載のビデオ再生装置であって、
前記キー操作結果画面登録部は、前記定義情報がキー操作の種別に対して定義するキー操作発生時に当該ビデオ再生装置が行うべき動作が変化した際に、前記キー操作結果画面登録処理を行うことを特徴とするビデオ再生装置。
【請求項４】
請求項２記載のビデオ再生装置であって、
前記ガイド画面表示部は、前記キー操作結果画面登録部によって前記キー操作結果画面登録処理が行われた際に、前記ガイド画面表示処理を行うことを特徴とするビデオ再生装置。
【請求項５】
請求項１記載のビデオ再生装置であって、
前記ガイド画面表示部は、ユーザの所定のガイド画面要求操作に応答して、前記ガイド画面表示処理を行うことを特徴とするビデオ再生装置。
【請求項６】
請求項２記載のビデオ再生装置であって、
前記ガイド画面表示部は、ユーザの所定のガイド画面要求操作に応答して、前記ガイド画面表示処理を行うことを特徴とするビデオ再生装置。
【請求項７】
請求項１記載のビデオ再生装置であって、
前記ビデオディスクは、HD DVD-Video規格に従ってビデオコンテンツを記憶したHD DVDであることを特徴とするビデオ再生装置。
【請求項８】
請求項１記載のビデオ再生装置であって、
前記ビデオディスクは、BDMV規格に従ってビデオコンテンツを記憶したBlu-ray Discであることを特徴とするビデオ再生装置。
【請求項９】
請求項２記載のビデオ再生装置であって、
前記ビデオディスクは、HD DVD-Video規格に従ってビデオコンテンツを記憶したHD DVDであることを特徴とするビデオ再生装置。
【請求項１０】
請求項２記載のビデオ再生装置であって、
前記ビデオディスクは、BDMV規格に従ってビデオコンテンツを記憶したBlu-ray Discであることを特徴とするビデオ再生装置。
【請求項１１】
コンピュータによって読み取られ実行されるコンピュータプログラムであって、
前記コンピュータを、
ビデオコンテンツを記録したビデオディスクを再生するビデオ再生装置であって、
前記ビデオディスクに記録された、キー操作の種別に対して当該種別のキー操作発生時に当該ビデオ再生装置が行うべき動作を定義する定義情報に従って、発生したキー操作の種別に対して前記定義情報が定義する動作を当該ビデオ再生装置に行わせる動作制御部と、
当該ビデオ再生装置によって再生された画面画像の表示出力を抑止しつつ、各キー操作の種別について、前記動作制御部に、当該キー操作の種別に対して前記定義情報が定義する動作を当該ビデオ再生装置に行わせると共に、当該動作の結果、当該ビデオ再生装置によって再生された画面画像を、当該ユーザ操作に対応付けて登録するキー操作結果画面登録処理を行うキー操作結果画面登録部と、
各キー操作に対応して登録されている画面画像を、当該キー操作の識別と共に表したガイド画面を表示するガイド画面表示処理を行うガイド画面表示部とを備えたビデオ再生装置として機能させることを特徴とするコンピュータプログラム。
【請求項１２】
請求項１１記載のコンピュータプログラムであって、
前記キー操作結果画面登録部は、ビデオディスクの再生開始の際に、前記キー操作結果画面登録処理を行うことを特徴とするコンピュータプログラム。
【請求項１３】
請求項１１記載のコンピュータプログラムであって、
前記キー操作結果画面登録部は、前記定義情報がキー操作の種別に対して定義するキー操作発生時に当該ビデオ再生装置が行うべき動作が変化した際に、前記キー操作結果画面登録処理を行うことを特徴とするコンピュータプログラム。
【請求項１４】
請求項１１記載のコンピュータプログラムであって、
前記ビデオディスクは、HD DVD-Video規格に従ってビデオコンテンツを記憶したHD DVDであることを特徴とするコンピュータプログラム。
【請求項１５】
請求項１１記載のコンピュータプログラムであって、
前記ビデオディスクは、BDMV規格に従ってビデオコンテンツを記憶したBlu-ray Discであることを特徴とするコンピュータプログラム。
【請求項１６】
ビデオコンテンツを記録したビデオディスクを再生するビデオ再生装置において、当該ビデオ再生装置の操作を案内する操作案内方法であって、
前記ビデオディスクには、キー操作の種別に対して当該種別のキー操作発生時に当該ビデオ再生装置が行うべき動作を定義する定義情報が記録されており、
当該操作案内方法は、
当該ビデオ再生装置によって再生された画面画像の表示出力を抑止しつつ、各キー操作の種別について、当該キー操作の種別に対して前記定義情報が定義する動作を当該ビデオ再生装置に行わせると共に、当該動作の結果、当該ビデオ再生装置によって再生された画面画像を、当該ユーザ操作に対応付けて登録するキー操作結果画面登録ステップと、
各キー操作に対応して登録されている画面画像を、当該キー操作の識別と共に表したガイド画面を表示するガイド画面表示ステップと、
発生したキー操作の種別に対して前記定義情報が定義する動作を当該ビデオ再生装置に行わせる動作制御ステップとを有することを特徴とする操作案内方法。
【請求項１７】
請求項１６記載の操作案内方法であって、
前記キー操作結果画面登録ステップは、ビデオディスクの再生開始の際に行われることを特徴とする操作案内方法。
【請求項１８】
請求項１６記載の操作案内方法であって、
前記キー操作結果画面登録ステップは、前記定義情報がキー操作の種別に対して定義するキー操作発生時に当該ビデオ再生装置が行うべき動作が変化した際に行われることを特徴とする操作案内方法。
【請求項１９】
請求項１６記載の操作案内方法であって、
前記ビデオディスクは、HD DVD-Video規格に従ってビデオコンテンツを記憶したHD DVDであることを特徴とする操作案内方法。
【請求項２０】
請求項１６記載の操作案内方法であって、
前記ビデオディスクは、BDMV規格に従ってビデオコンテンツを記憶したBlu-ray Discであることを特徴とする操作案内方法。
【発明の詳細な説明】
【技術分野】
【０００１】
本発明は、ビデオコンテンツを記録したビデオディスクを再生するビデオ再生装置において、ユーザに対して、当該ビデオ再生装置の操作方法を案内する技術に関するものである。
【背景技術】
【０００２】
ユーザに対して操作方法を案内する技術としては、ＴＶチューナを備えたビデオ記録装置において、ユーザのガイド要求に応じて、予めビデオ記録装置に記憶しておいた、ビデオ記録装置が備える各キーと当該キーを操作したときのビデオ記録装置の動作との対応を案内する案内画像を表示する技術が知られている（たとえば、特許文献１）。
【特許文献１】特開2005-295436号公報
【発明の開示】
【発明が解決しようとする課題】
【０００３】
HD DVD-Video規格やBDMV規格によってビデオコンテンツをビデオディスクに記録する場合、ビデオコンテンツの各種再生動作の指示をユーザから受け付けるための、ビデオ再生装置のキーは、ビデオコンテンツの制作者が任意に設定することができる。したがって、ビデオ再生装置にある特定の再生動作を行わせるために、ユーザが行うべきキー操作は、ビデオディスクの種別によって異なり得る。
【０００４】
このため、これらのビデオディスク再生時には、ユーザが所望の動作をビデオ再生装置に行わせるために行うべき操作を直感的に把握することが比較的困難となる。また、前記特許文献１の技術のように予め記憶した各キーと当該キーを操作したときのビデオ記録装置の動作との対応に基づいて、ユーザに対して操作方法を案内することもできない。
【０００５】
そこで、本発明は、操作方法がビデオディスク毎に異なる場合であっても、ユーザに対して操作方法を適切に案内することのできるビデオ再生装置を提供することを課題とする。
【課題を解決するための手段】
【０００６】
前記課題達成のために、本発明は、ビデオコンテンツを記録したビデオディスクを再生するビデオ再生装置を、前記ビデオディスクに記録された、キー操作の種別に対して当該種別のキー操作発生時に当該ビデオ再生装置が行うべき動作を定義する定義情報に従って、発生したキー操作の種別に対して前記定義情報が定義する動作を当該ビデオ再生装置に行わせる動作制御部に加えて、当該ビデオ再生装置によって再生された画面画像の表示出力を抑止しつつ、各キー操作の種別について、前記動作制御部に、当該キー操作の種別に対して前記定義情報が定義する動作を当該ビデオ再生装置に行わせると共に、当該動作の結果、当該ビデオ再生装置によって再生された画面画像を、当該ユーザ操作に対応付けて登録するキー操作結果画面登録処理を行うキー操作結果画面登録部と、各キー操作に対応して登録されている画面画像を、当該キー操作の識別と共に表したガイド画面を表示するガイド画面表示処理を行うガイド画面表示部とを設けて構成したものである。
【０００７】
このようなビデオ再生装置によれば、ユーザの各種キー操作を再生画面画像を表示出力することなしにバックグランドで実施し、当該実施の結果呼び出される再生画面画像を収集し、各再生画面画像を当該再生画面画像を呼び出すキー操作の識別と共に配置したガイド画面を表示する。したがって、ユーザは、ビデオディスクの種別によらずに、このガイド画面より、当該ビデオディスク再生時に、各キー操作によってビデオ再生装置に行わせることのできる動作を把握することができる。
【０００８】
ここで、このようなビデオ再生装置は、より詳細には、前記キー操作結果画面登録部において、ビデオディスクの再生開始の際に、前記キー操作結果画面登録処理を行うようにしたり、前記定義情報がキー操作の種別に対して定義するキー操作発生時に当該ビデオ再生装置が行うべき動作が変化した際に、前記キー操作結果画面登録処理を行うように構成してもよい。
【０００９】
また、以上のようなビデオ再生装置は、より詳細には、前記ガイド画面表示部は、前記キー操作結果画面登録部によって前記キー操作結果画面登録処理が行われた際に、前記ガイド画面表示処理を行うようにしたり、ユーザの所定のガイド画面要求操作に応答して、前記ガイド画面表示処理を行うように構成してもよい。
【００１０】
なお、以上のビデオ再生装置において、前記ビデオディスクは、HD DVD-Video規格に従ってビデオコンテンツを記憶したHD DVDであってもよく、BDMV規格に従ってビデオコンテンツを記憶したBlu-ray Discであってもよい。
【発明の効果】
【００１１】
以上のように、本発明によれば、操作方法がビデオディスク毎に異なる場合であっても、ユーザに対して操作方法を適切に案内することのできるビデオ再生装置を提供することができる。
【発明を実施するための最良の形態】
【００１２】
以下、本発明の実施形態に係るビデオ再生装置を、HD DVD-Video規格によるビデオコンテンツを記録したHD DVDを再生するビデオ再生装置への適用を例にとり説明する。
図１に、本実施形態に係るビデオ再生装置の構成を示す。
図示するように、ビデオ再生装置１は、データアクセスマネージャ１１、データキャッシュ１２、ナビゲーションマネージャ１３、プレゼンテーションエンジン１４、ＡＶレンダラ１５、メモリ１６、リモートコントローラなどである入力装置１７、表示装置１８、スピーカ１９とを備えている。
なお、このようなビデオ再生装置１は、ハードウエア的には、マイクロプロセッサや、メモリや、その他の周辺デバイスを有する一般的な構成を備えたコンピュータであって良く、この場合、以上に示したビデオ再生装置１の入力装置１７、表示装置１８、スピーカ１９を除く各部は、マイクロプロセッサが予め用意されたプログラムを実行することにより具現化するプロセスとして実現されるものであって良い。また、この場合、このようなプログラムは、記録媒体や適当な通信路を介して、当該コンピュータに提供されるものであって良い。
【００１３】
さて、このようなビデオ再生装置１の構成において、ナビゲーションマネージャ１３は、データアクセスマネージャ１１やデータキャッシュ１２を介してHD DVD２より読み出したプレイリストに基づいて、プライマリビデオセットやセカンダリビデオセットやアプリケーションやアドバンスドサブタイトルの再生を制御する。プレゼンテーションエンジン１４は、ナビゲーションマネージャ１３の制御下で、HD DVD２やパーシスタントストレージ３やネットワーク上のネットワークサーバ４から取得したデータから、プライマリビデオセットやセカンダリビデオセットやアプリケーションやアドバンスドサブタイトルの映像と音声をデコードする。そして、ＡＶレンダラ１５は、プレゼンテーションエンジン１４でデコードされた各映像を描画、合成して再生画像を生成し、再生画像を、出力画像として表示装置１８に出力して表示する。また、ＡＶレンダラ１５は、プレゼンテーションエンジン１４でデコードされた各音声を再生音声として合成し、出力音声としてスピーカ１９に出力する。
【００１４】
ここで、プライマリビデオセットとセカンダリビデオセットはビデオオブジェクトであり、アドバンスドサブタイトルは字幕オブジェクトである。
一方、アプリケーションは、マニュフェスト、マークアップ、スクリプトより成り、マニュフェストは、アプリケーションの初期化情報を表すものである。
また、マークアップは、ボタン、画像、音声、アニメーション、フォントなどを用いて構築されるアプリケーションの出力映像/音声を定義するものであり、このマークアップを用いて、インタアクティブなユーザインタフェースを定義することができる。
そして、スクリプトは、各アプリケーションやビデオ再生装置１の各種再生動作を制御するプログラムであり、当該スクリプトには、入力装置１７のキー操作の発生をあらわすＵＩイベントの発生に応答して所定の処理を行うＵＩイベントハンドラスクリプトや、マークアップの定義に従ってアプリケーションの出力映像上のボタン等の表示オブジェクトの選択操作によって起動されるスクリプトなどを含めることができる。
【００１５】
次に、ビデオ再生装置１のメモリ１６には、ガイドテーブルがナビゲーションマネージャ１３によって格納される。
図２に示すように、ガイドテーブルは、入力装置１７が備える各種キーのうちから、メニュー画面の呼出に使用されることのあるキーとして選択した複数のキー（”メニュー”キーや”UP：上矢印”キーや”DOWN：下矢印"キー等）各々に対応するエントリを有し、各エントリには、ＡＶレンダラ１５が生成した再生画像をキャプチャ画像として格納することができる。
【００１６】
さて、このような構成において、ナビゲーションマネージャ１３は、ユーザのキー操作を案内するために、ガイド処理を実行する。
図３に、このガイド処理の手順を示す。
図示するように、このガイド処理では、新たにHD DVD２の再生が開始されたならば（ステップ３０２）、HD DVD２の再生開始時にプレイリストに従って起動されるアプリケーションが全て起動されるのを待つ（ステップ３０４）。
そして、アプリケーションが全て起動されたならば、ビデオ再生装置１の現在のHD DVD２の再生状態の情報を収集して、レジューム情報としてメモリ１６に保管し（ステップ３０６）、ＡＶレンダラ１５に、プレゼンテーションエンジン１４のデコード映像より生成した再生画像の、出力画像としての表示装置１８への出力と、プレゼンテーションエンジン１４のデコード音声より生成した再生音声の出力音声としてスピーカ１９への出力を停止させる（ステップ３０８）。なお、このとき、併せて、ＡＶレンダラ１５に、HD DVD２の読み込み中である旨を通知するメッセージ等を表した所定のメッセージ画面の表示装置１８への表示を開始させるようにしてもよい。
【００１７】
そして、ガイドテーブルに登録されている各キーについて（ステップ３１０、３２０、３２６）、以下の処理を行う。
すなわち、まず、当該キーの操作発生を表すＵＩイベントを生成する（ステップ３１２）。ここで、当該ＵＩイベントの発生によって、当該ＵＩイベントに対する処理が定義されたアプリケーションが当該処理を実行することになる。また、ナビゲーションマネージャ１３に、当該ＵＩイベントに対する処理がデフォルトで定義されている場合には、ナビゲーションマネージャ１３において当該処理が実行されることになる。
【００１８】
そして、当該処理の実行によってＡＶレンダラ１５がプレゼンテーションエンジン１４のデコード映像より生成する再生画像が変化したかどうかを調べ（ステップ３１４）、変化していない場合には、記憶しておいたレジューム情報を用いて、ビデオ再生装置１のHD DVD２の再生状態を復帰し（ステップ３１８）、当該キーについての処理を終了する。一方、再生画像が変化した場合には、当該変化後の再生画像をＡＶレンダラ１５より取得し、ガイドテーブルの当該キーのエントリにキャプチャ画像として登録する（ステップ３１６）。
【００１９】
この結果、現在の再生状態が、たとえば、ユーザの”メニュー”キーの操作が発生すると、HD DVD２の定義に従って図５ａに示すようなボーナスメニューが表示され、この状態で”UP：上矢印”キーの操作が発生するとHD DVD２の定義に従って図５ｂに示すようなメインメニューが表示されるものであった場合には、ガイドテーブルの”メニュー”キーのエントリには、図５ａに示すボーナスメニューのメニュー画面の画像がキャプチャ画像として登録され、ガイドテーブルので”UP：上矢印”キーのエントリには、図５ｂに示すメインメニューのメニュー画面の画像がキャプチャ画像として登録されることになる。
【００２０】
さて、図３に戻り、ステップ３１６で、キャプチャ画像を登録したならば、記憶しておいたレジューム情報を用いて、ビデオ再生装置１のHD DVD２の再生状態を復帰し（ステップ３１８）、当該キーについての処理を終了する。
そして、ガイドテーブルに登録されたキーの全てについて以上の処理を終了したならば（ステップ３２０）、ガイド情報出力処理を実行し（ステップ３２２）、ガイド情報出力処理が終了したならば、ＡＶレンダラ１５に、プレゼンテーションエンジン１４のデコード映像より生成した再生画像の出力画像としての表示装置１８への出力と、プレゼンテーションエンジン１４のデコード音声より生成した再生音声の出力音声としてスピーカ１９への出力を再開させ（ステップ３２４）、ステップ３０２に戻り、次回の、新たなHD DVD２の再生の開始を待つ。なお、ステップ３０８で上述のメッセージ画面の表示を開始した場合には、ステップ３２２において上述したメッセージ画面の表示を消去した上でガイド情報出力処理を実行する。
【００２１】
次に、ガイド処理のステップ３２０で実行するガイド情報出力処理について説明する。
図４に、このガイド情報出力処理の手順を示す。
図示するように、この処理では、ガイドテーブルに登録された各キャプチャ画像を、ガイドテーブルにおいて、当該キャプチャ画像が登録されているキーと対応づけて配置したガイド画面をＡＶレンダラ１５を介して表示装置１８に表示させる（ステップ４０２）。
このガイド画面では、たとえば、図５ｃに示すように、ガイドテーブルの登録されている各キー毎に設けた、当該キーの識別５０１と当該キーに対してガイドテーブルに登録されているキャプチャ画像５０２とを表したキーガイド情報５０３を、ガイドテーブルの登録順に所定数配置した画面を表示する。また、ガイド情報出力処理では、次ページボタン５１１や前ページボタン５１２の操作に応じて、ガイド画面に配置するキーガイド情報５０３を、対応するキーのガイドテーブルの登録順に従って切り替える処理も行う。
【００２２】
さて、図４に戻り、ガイド画面を表示中に、ユーザによって入力装置１７のいずれかのキーが操作されたならば（ステップ４０４）、ガイド画面の表示を消去し（ステップ４０６）、ガイド情報出力処理を終了する。なお、ステップ４０４において検出されたユーザのキー操作に対しては、当該ＵＩイベントに対する処理が定義されたアプリケーションが当該処理を実行することになる。また、ナビゲーションマネージャ１３に、当該ＵＩイベントに対する処理がデフォルトで定義されている場合には、ナビゲーションマネージャ１３において当該処理が実行されることになる。この結果、図５に示した例では、図５ｃのガイド画面表示中に”メニュー”キーが操作されたならば、アプリケーションによって、図５ａに示すボーナスメニューの画面が表示装置１８に表示され、ユーザが当該ボーナスメニューを利用可能となり、図５ｃのガイド画面表示中に”UP：上矢印”キーが操作されたならば、アプリケーションによって、図５ｂに示すメインメニューの画面が表示装置１８に表示され、ユーザが当該メインメニューを利用可能となる。
【００２３】
以上、ナビゲーションマネージャ１３が行うガイド処理について説明した。
以上のように、本実施形態に係るビデオ再生装置１によれば、ユーザの各種キー操作に対応するビデオ再生装置１の動作をバックグランドで実行し、その結果、再生される再生画像を収集し、各再生画像を当該再生画像の再生の起因となったキー操作の識別と共に配置したガイド画面を表示する。したがって、ユーザは、HD DVD２の種別によらずに、このガイド画面より、当該HD DVD２再生時に、各キー操作によってビデオ再生装置１に行わせることのできる動作を把握することができる。
【００２４】
ところで、以上の実施形態では、ガイド処理を、新たなHD DVD２の再生が開始されたときにのみ行ったが、これは、HD DVD２の再生中に、新たなアプリケーション、または、キー操作の発生を表すＵＩイベントに対する処理が定義された新たなアプリケーションが起動されたときにも行うようにしてもよい。
【００２５】
また、図４に示したガイド情報出力処理は、ガイド処理中においては行わずに、または、ガイド処理中において行うと共に、ユーザから所定の操作によるガイド情報の出力要求が入力されたときにも行うようにしてもよい。
なお、以上では、HD DVD-Video規格に従ってビデオコンテンツを記憶したHD DVDを再生するビデオ再生装置１への適用を例にとり説明したが、本実施形態は、BDMV規格に従ってビデオコンテンツを記憶したBlu-ray Discを再生するビデオ再生装置１にも同様に適用することができる。
【図面の簡単な説明】
【００２６】
【図１】本発明の実施形態に係るビデオ再生装置の構成を示すブロック図である。
【図２】本発明の実施形態に係るビデオ再生装置が備えるテーブルを示す図である。
【図３】本発明の実施形態に係るガイド処理を示すフローチャートである。
【図４】本発明の実施形態に係るガイド情報出力処理を示すフローチャートである。
【図５】本発明の実施形態に係るビデオ再生装置の表示画面例を示す図である。
【符号の説明】
【００２７】
１…ビデオ再生装置、２…ＤＶＤディスク、３…パーシスタントストレージ、４…ネットワークサーバ、１１…データアクセスマネージャ、１２…データキャッシュ、１３…ナビゲーションマネージャ、１４…プレゼンテーションエンジン、１５…ＡＶレンダラ、１６…メモリ、１７…入力装置、１８…表示装置、１９…スピーカ。
【図１】
0004963660.tif 000002
【図２】
0004963660.tif 000003
【図３】
0004963660.tif 000004
【図４】
0004963660.tif 000005
【図５】
0004963660.tif 000006